(57)【要約】【課題】例えば竹垣を構築するに際し、縦横の棒材相互を簡易且つ能率的に然も安定的に結着することのできる結着材を提供する。【解決手段】可撓性を有する帯状片３の一端に係合体５が設けられてなる帯状結着片６の一対が、両帯状片３，３が交差状態にされ且つその交差部９で連結されている。帯状片３をループ状に屈曲させ且つ該帯状片３を係合体５の係合孔１５に挿通させることにより、係合孔１５に設けられた第２係合部が帯状片３に設けられた第１係合部と係合し、帯状片３のループ状部分の長さを固定できる。【選択図】  図５
2005282177.tif 000002
【特許請求の範囲】
【請求項１】
可撓性を有し且つ長さ方向に第１係合部が並設されてなる帯状片の一端に、係合孔を有する係合体が設けられ、該帯状片をループ状に屈曲させ且つ該帯状片を該係合孔に挿通させ、該係合孔に設けられた第２係合部を前記第１係合部に係合させることによって該帯状片のループ状部分の長さを固定できるようになされた帯状結着片の一対が、前記帯状片相互が交差状態にされ且つその交差部で連結されていることを特徴とする棒材相互の結着材。
【請求項２】
可撓性を有し且つ長さ方向に突部としての第１係合部が並設されてなる帯状片の一端に、係合孔を有する係合体が設けられ、該帯状片をループ状に屈曲させ且つ該帯状片を該係合孔に挿通させ、該係合孔に設けられた突部としての第２係合部を前記第１係合部に係合させることによって該帯状片のループ状部分の長さを固定できるようになされた帯状結着片の一対が、前記帯状片相互が交差状態にされ且つその交差部で連結されていることを特徴とする棒材相互の結着材。
【請求項３】
可撓性を有し且つ長さ方向に第１係合部が並設されてなる帯状片の一端に、係合孔を有する係合体が設けられ、該帯状片をループ状に屈曲させ且つ該帯状片を該係合孔に挿通させ、該係合孔に設けられた第２係合部を前記第１係合部に係合させることによって該帯状片のループ状部分の長さを固定できるようになされた帯状結着片の一対が、前記帯状片相互が交差状態にされ、且つ、その交差部において両帯状片が互いに回動可能に連結されていることを特徴とする棒材相互の結着材。
【請求項４】
植物の茎を取り囲むように該茎を支持する帯状の可撓性の植物支持片が前記交差部に連結されていることを特徴とする請求項１、２又は３記載の棒材相互の結着材。
【請求項５】
前記植物支持片は、可撓性を有し且つ長さ方向に第１係止部が並設されてなる帯状の片の一端に、係止孔を有する係止体が設けられ、該帯状の片をループ状に屈曲させ且つ該帯状の片を該係止孔に挿通させ、該係止孔に設けられた第２係止部を前記第１係止部に係合させることによって該帯状の片のループ状部分の長さを固定できるようになされており、該帯状の片が前記交差部に連結されていることを特徴とする請求項４記載の棒材相互の結着材。
【請求項６】
前記第１係合部と前記第２係合部との係合状態を解除可能としたことを特徴とする請求項１、２、３又は４記載の棒材相互の結着材。
【請求項７】
前記帯状片の裏側の面に前記第１係合部が並設されると共に、前記帯状片の表側の面に、該帯状片の長さ方向に対して同一の向きで傾斜する縄目状突部が並設されていることを特徴とする請求項１、２、３又は４記載の棒材相互の結着材。
【発明の詳細な説明】
【技術分野】
【０００１】
本発明は、竹垣等を構築する際において、交差する棒材相互を簡易且つ確実に結着することのできる棒材相互の結着材に関するものである。
【背景技術】
【０００２】
近年、天然竹や、天然竹の風合いを有する合成樹脂製の人工竹等の棒材を用いて竹垣を構築することが多く見られるようになってきている。
【０００３】
このような竹垣を構築するに際しては、図４４に示すように、支柱となる縦方向の棒材ａと、これと直角に交差する横方向の棒材ｂとをしゅろ縄ｃで結着することが一般的に行われている。
【０００４】
しかしながら、しゅろ縄で結着する作業には熟練を必要とし、又、作業能率が悪い問題があったため、このような結着作業の簡易化を図らんとして特開平１１−３４３７５８号公報が開示する人工竹垣用結び縄材が提案されている。
【０００５】
この結び縄材ｄは、図４５〜４６に示すように、合着によって単一の結び縄形状となるように構成された下側縄目部材ｅと上側縄目部材ｆとからなり、該下側縄目部材ｅは、人工竹ｓの表面に嵌着される縄目脚本体部ｇと取付座部ｈを有し、該取付座部ｈには、固定ボルトｑ等のための挿通孔ｉと、複数の差込孔ｊとが形成されていた。又、前記上側縄目部材ｆは、その略中心部に結び目部ｋを有する結び縄本体部ｍと、該結び縄本体部ｍの結び目部裏側に形成された合着部ｎを有し、該合着部ｎには前記取付座部ｈの前記差込孔ｊに嵌着する爪部ｐが突設された構成を有していた。
【０００６】
かかる構成の結び縄材は、ワンタッチ操作で簡易に取り付けを行うことができるとされているが、下側縄目部材ｅを竹材の形状や大きさに応じたものとして個別に設計製作する必要があると共に、該下側縄目部材ｅを竹材にボルト固定しなければならない準備作業を要する面倒さがあった。又、結び縄材が上側縄目部材ｆと下側縄目部材ｅの２種類の部材の組み合わせからなるために取り扱いに不便であり、しかも、このような２種類の部材を個別に設計製作しなければならないことから結び縄材が高価について、竹垣の施工コストの上昇を招く問題もあった。
【特許文献１】特開平１１−３４３７５８号（２頁、図１−図２）
【発明の開示】
【発明が解決しようとする課題】
【０００７】
本発明は、単一の部材からなるために取り扱いが容易である等の経済性を有すると共に、従来のしゅろ縄による結着と同様に、たすき掛けした状態で棒材相互を安定的に結着することができ、しかもその結着作業を簡易且つ能率的に行うことのできる棒材相互の結着材の提供を課題とするものである。
【課題を解決するための手段】
【０００８】
前記課題を解決するため、本発明は以下の手段を採用する。
即ち本発明に係る棒材相互の結着材（以下結着材という）は、可撓性を有し且つ長さ方向に第１係合部が並設されてなる帯状片の一端に、係合孔を有する係合体が設けられ、該帯状片をループ状に屈曲させ且つ該帯状片を該係合孔に挿通させ、該係合孔に設けられた第２係合部を前記第１係合部に係合させることによって該帯状片のループ状部分の長さを固定できるようになされた帯状結着片の一対が、前記帯状片相互が交差状態にされ且つその交差部で連結されていることを特徴とするものである。
【０００９】
本発明に係る結着材のより具体的な態様は、可撓性を有し且つ長さ方向に突部としての第１係合部が並設されてなる帯状片の一端に、係合孔を有する係合体が設けられ、該帯状片をループ状に屈曲させ且つ該帯状片を該係合孔に挿通させ、該係合孔に設けられた突部としての第２係合部を前記第１係合部に係合させることによって該帯状片のループ状部分の長さを固定できるようになされた帯状結着片の一対が、前記帯状片相互が交差状態にされ且つその交差部で連結されていることを特徴とするものである。
【００１０】
本発明に係る結着材のより具体的な他の態様は、可撓性を有し且つ長さ方向に第１係合部が並設されてなる帯状片の一端に、係合孔を有する係合体が設けられ、該帯状片をループ状に屈曲させ且つ該帯状片を該係合孔に挿通させ、該係合孔に設けられた第２係合部を前記第１係合部に係合させることによって該帯状片のループ状部分の長さを固定できるようになされた帯状結着片の一対が、前記帯状片相互が交差状態にされ、且つ、その交差部において両帯状片が互いに回動可能に連結されていることを特徴とするものである。
【００１１】
前記各結着材は、植物の茎を取り囲むように該茎を支持する帯状の可撓性の植物支持片が前記交差部に連結されたものとして構成されることがある。この場合、前記植物支持片は、可撓性を有し且つ長さ方向に第１の係合部が並設されてなる帯状の片の一端に、係止孔を有する係止体を設け、該帯状の片をループ状に屈曲させ且つ該帯状の片を該係止孔に挿通させ、該係止孔に設けられた第２の係合部を前記第１の係合部に係合させることによって該帯状の片のループ状部分の長さを固定できるようになし、該帯状の片が前記交差部に連結されたものとして構成することができる。
【００１２】
又、前記各結着材において、前記第１係合部と第２係合部との係合状態は、解除できない場合と、解除できる場合がある。
【００１３】
又前記各結着材において、前記帯状片の裏側の面に前記第１係合部を並設すると共に、前記帯状片の表側の面に、該帯状片の長さ方向に対して同一の向きで傾斜する縄目状突部を並設するのがよい。
【発明の効果】
【００１４】
本発明は以下の如き優れた効果を奏する。
(1) 本発明に係る結着材は、帯状結着片の一対を、帯状片を交差状態にしてその交差部で連結した構成を有するため、竹垣を構築する場合等において交差する棒材相互を結着する際、棒材相互を、たすき掛けした安定状態で強固に結着できることになる。
又本発明に係る結着材は、一対の帯状結着片が連結されていることから取り扱い性に優れ、結着作業を能率的に行うことができる。
【００１５】
(2) 帯状片相互を連結する際、両帯状片を互いに回動可能としたときは、帯状片の交差角度を自由に設定できるため、直径の異なる棒材相互を結着する際も、両帯状片の交差角度が自ずから最適状態に設定されて棒材相互をより安定的に結着し得る利点がある。又、両帯状片を略直線状に揃えることができるため、商品出荷時における包装形態を小さくできる出荷上の利点もある。
【００１６】
(3) 本発明に係る結着材が植物支持片を有する場合は、棒材相互の結着と併せて、竹垣等に近接して植えられた植物を該植物支持片によって支持できる利点がある。
【００１７】
(4) 又、帯状片に設けられた第１係合部と、係合体に設けられた第２係合部との係合を解除可能に構成した場合は、棒材相互の結着作業を誤った場合に、帯状片を切断することなく、結着をやり直せる利点がある。
【００１８】
(5) 帯状片の表側の面に帯状片の長さ方向に対して傾斜する縄目状突部を連設したときは、結着材による結着状態が、しゅろ縄で結着したかのような外観を呈して好ましい。
【実施例１】
【００１９】
図１〜３において本発明に係る結着材１は、竹垣Ａの構築に際して、天然竹や、天然竹の風合いを有する合成樹脂製の人工竹としての縦横の棒材２，２相互を結着するために用いられるものである。
【００２０】
該結着材１は、図４〜６に示すように、細長な可撓性の帯状片３の基端に係合体５が設けられてなる帯状結着片６，６の両帯状片３，３相互が交差状態にされ且つその交差部９で連結されてなり、全体がポリプロピレンやポリエチレン、ポリ塩化ビニル等の樹脂により一体に成形され、全体が黒色に着色されている。本実施例においては、各帯状片３に関して、その交差部９から前記係合体５までの長さＬが等しく設定されると共に、該交差部９に段差が生じないように、両帯状片３，３が同一平面上に存するように構成されている。又両帯状片３，３のなす角度θ１は、両係合体５，５が存する側において例えば約１４０°に設定されている。
【００２１】
又、帯状片３，３の裏側の面１０，１０には、図６に示すように、前記交差部９側から先端寄り部位に亘る長さ部分に、該帯状片３の幅方向に延びる例えば断面三角形状（本実施例においては鋸歯状を呈する）の突部としての第１係合部１３の多数が、帯状片３の長さ方向に小間隔で連続状態に並設されている。又前記係合体５は、本実施例においては、図７〜９に示すように、帯状片３の長さ方向と直交する係合孔１５が設けられたボックス状を呈し、該係合孔１５の帯状片３側の内側面１６に、傾斜突部としての第２係合部１９が突設されており、前記内側面１６に対向する内側面２０と該第２係合部１９との間に、前記帯状片３をその先端側から挿通可能となされている。
【００２２】
そして該帯状片７を前記係合孔１５に挿通させることにより、該第２係合部１９が前記第１係合部１３とその先端１７で係合し、図８〜９に示すように、帯状片７のループ状部分２１の長さが固定されるようになされている。なお本実施例においては、第１係合部１３と第２係合部１９との係合状態を解除できないように構成されている。
【００２３】
又、前記帯状片３の表側の面２２には、図４〜５に示すように、その長さ方向に対して同一の向きで傾斜するしゅろ縄の縄目を模した縄目状突部２３が、小間隔で連続状態に並設されている。
【００２４】
図１０〜１１は、支柱となる縦方向の竹材としての棒材２ａと、これと直交する横方向の竹材としての棒材２ｂの交差部分２５を結着する作業工程を説明するものである。なお、縦横の棒材２ａ，２ｂとしては、例えば、直径が１６〜２５ｍｍの範囲にある同一径のものを対象とする。
【００２５】
先ず図１０に示すように、両棒材２ａ，２ｂの交差部分２５において、両係合体５，５が、縦方向の棒材２ａの両側に位置するように、両帯状片３，３の前記交差部９を、前記縄目状突部２３を表にして当接状態とし、その後、各帯状片３，３を、図３、図１１に示すように、両棒材２ａ，２ｂに、これらに巻き付くように巻回させる。然る後、図１１に示すように両帯状片３の先側部分２６から前記係合孔１５に挿通させ、図９に示すように、前記第２係合部１９を前記第１係合部１３と係合させる。この際、帯状片３の先側部分２６を把持して引っ張ることにより、両帯状片７，７のなす角度を前記のように、１４０°に設定しているため、図１１に示すように、両棒材２ａ，２ｂを無理のないたすき掛け状態で結着でき、前記第１係合部１３と第２係合部１９との係合によって、この結着状態を保持できる。このように、たすき掛け状態で結着されることから、強度の高い安定した結着状態が得られる。然も、帯状片の表面に縄目状突部２３が突出状態になるため、結着部分は、従来と同様に、しゅろ縄で結着したかのような外観を呈する。
【００２６】
なお、係合体５から突出した帯状片３の先側部分２６は、図２に示すようにカットする。図１は、竹垣における縦横の棒材２ａ，２ｂの交差部分２５を同様に結着した状態を示すものである。
【００２７】
図１２は、本発明に係る結着材１の他の実施例を示すもので、前記係合体５，５が存する側の交差角度θ２が約４０°に設定されており、その余の構成は前記と同様である。図１３は、かかる構成を有する結着材１を用いて同径の棒材２ａ，２ｂの交差部分２５を結着した状態を示しており、両係合体５，５は、横方向の棒材２ｂの、交差部分２５の上下に位置している。
【実施例２】
【００２８】
図１４〜１６、図１７〜１８、図１９は、本発明に係る結着材１の他の実施例を示すものであり、帯状片３，３相互が交差状態に連結されると共にその交差部９に、例えば竹垣Ａに近接して植えられた植物２９の茎３０を取り囲むように該茎３０を支持する植物支持片２７が設けられている。
【００２９】
該植物支持片２７は、図１４〜１６に示すように、可撓性の帯状の片３１の基端に、前記係合体５と同様構成のボックス状の係止体３２が設けられると共に、該帯状の片３１の表側の面３３に、幅方向に延びる断面三角形状（本実施例においては鋸歯状を呈する）の突部としての第１係止部３５が帯状の片３１の長さ方向に小間隔で連続状態に並設されている。
【００３０】
又前記係止体３２は、図２０に示すように、帯状の片３１の長さ方向と直交する係止孔３６が設けられたボックス状を呈し、該係止孔３６の帯状の片側の内側面３７に、傾斜突部としての第２係止部４０が突設されており、前記内側面３７に対向する内側面４１と該第２係止部４０との間に、前記帯状の片３１をその先端側から挿通可能となされている。      
【００３１】
そして該帯状の片３１を前記係止孔３６に挿通させることにより、第２係止部４０が前記第１係止部３５とその先端３９で係合し、帯状の片３１のループ状部分４２（図２０、図１８）の長さが固定されるようになされている。なお本実施例においては、第１係止部３５と第２係止部４０との係合状態を解除できないように構成されている。
【００３２】
そして、かかる構成の植物支持片２７の帯状の片３１の中間部４３（図１６）が、前記交差部９に一体に連結されている。この連結は、図１９に示すように、結着材１の帯状片３，３を用いて棒材２ａ，２ｂ相互を結着した状態において、前記帯状の片３１が横方向に延長するようになされている。即ち、図１４に示すように、帯状の片３１が、前記交差部９から突出する上下の突出片４５，４６のなす角度を２分割するように連結されている。
【００３３】
本実施例においては、前記交差部９と前記係止体３２との間の長さは、交差部９と、帯状の片３１の先端５０までの長さよりも短く形成されている。
【００３４】
図１７〜１８は、かかる構成を有する結着材１を用いて、縦横の棒材２ａ，２ｂの交差部分２５を結着することに加えて、前記植物支持片２７が、竹垣Ａに近接して植えられた植物の茎３０を支持した状態を示すものである。この支持に際しては、前記帯状の片３１を該茎３０を取り囲むようにループ状に屈曲させると共に、図２０に示すように、該帯状の片３１をその先側から前記係止体３２の係止孔３６に挿通させることにより行い、該帯状の片３１に設けられた第１係止部３５と前記係止体３２に設けられた第２係止部４０との係合によって、帯状の片のループ状部分４２の長さが固定され、該ループ状部分４２で植物の茎３０を支持できる。図２１は、植物支持片２７が設けられた結着材１の他の実施例を示すものであり、前記係合部５，５が存する側の交差角度θ２が約４０°に設定された図１２に示す場合において、前記交差部９から係合体５に向けて突出する突出片４７と、前記交差部９から帯状片３の先端に向けて突出する突出片４９のなす角度を、前記帯状の片３１が２分割するように連結されている。
【実施例３】
【００３５】
図２２〜２３は、本発明に係る結着材１のその他の実施例を示すものであり、前記と同様構成の帯状結着片６，６の帯状片３，３を交差状態にしてその交差部９で相互を連結するに際し、帯状片３，３を互いに回動可能に連結した場合を示している。この回動可能の連結は、例えば図２４〜２５に示すように、一方の帯状結着片６ａの帯状片３ａに設けられた連結突部５１を、他方の帯状結着片６ｂの帯状片３ｂに設けられた軸孔５２に挿通させ、図２５に示すように、該連結突部５１の先端に抜け止め部５３を設けることによって行われる。かかる構成の結着材１は、交差角度を自由に設定できるため、例えば図２６に示すような直径の異なる棒材２ａ，２ｂをその交差部分２５で結着する際にも無理なく応じ得ることとなる。そして結着材１の出荷時においては、図２７に示すように両帯状結着片６ａ，６ｂを略直線状に揃えることが可能であるため、包装形態を小さくして出荷できる。
【００３６】
このように両帯状片３，３を互いに回動可能に連結する他の構成としては、例えば図２８〜２９に示すように、夫々の帯状片３，３に設けられた軸孔５５，５６を位置合わせすると共に、別部材の連結軸５７を該軸孔５５，５６に挿通させ、且つ図２９に示すように両端に抜け止め部５９，５９を設けることによって行うこともできる。或いは図３０に示すように、帯状片３，３相互を変形容易な軟質部６０を介して連結することも考えられる。
【実施例４】
【００３７】
図３１〜３２は、本発明に係る結着材１のその他の実施例を示すものであり、帯状結着片６，６の帯状片３，３を前記のように互いに回動可能に連結すると共に、両帯状片３，３の交差部９に対して、例えば竹垣に近接して植えられた植物２９の茎３０（図１７〜１８）を取り囲むように該茎３０を支持する植物支持片２７を設けた構成を有している。
【００３８】
該植物支持片２７は、前記実施例２に示す同様の構成を有しており、可撓性の帯状の片３１の基端に係止体３２が設けられると共に、該帯状の片３１の表側の面３３に、図２０に示すと同様に、幅方向に延びる断面三角形状の突条としての第１係止部３５が帯状の片３１の長さ方向に小間隔で連続状態に並設されている。そして、図１７〜１８に示すと同様にして、前記帯状の片３１を植物２９の茎３０を取り囲むようにループ状に屈曲させると共に該帯状の片３１をその先側から前記係止体３２の係止孔３６に挿通させ、該帯状の片３２に設けられた第１係止部３５と前記係止体３２に設けられた第２係止部４０とを係合状態とすることによって、帯状の片３１のループ状部分４２の長さが固定され、該ループ状部分４２で植物の茎３０を支持できる。
【００３９】
このように回動可能に連結する態様の一つとして、図３３に示すように、前記一方の帯状結着片６ａの帯状片３に設けられた前記連結突部５１を前記他方の帯状結着片６ｂの帯状片３に設けられた軸孔５２を挿通させる共に、前記帯状の片３１に設けられた軸孔６１にも挿通させ、該連結突部５１の先端に抜け止め部６２を設けることによって行うことができる。或いは図３４に示すように、前記連結軸５７を、前記両帯状片６ａ，６ｂの軸孔５５，５６と帯状の片３１に設けられた軸孔６１に挿通させ且つ両端に抜け止め部６３，６５を設けることによって行うことができる。
【実施例５】
【００４０】
本発明は、前記実施例で示したものに限定されるものでは決してなく、「特許請求の範囲」の記載内で種々の設計変更が可能であることはいうまでもない。その一例を挙げれば次のようである。
【００４１】
(1) 本発明に係る結着材１は、図３５に示すように、一対の帯状結着片６，６の帯状片３，３を重ね合わせた段差のある交差状態にして交差部９で連結されることもある。
帯状片３，３をこのように重ね合わせた交差状態にして連結する場合、図３６に示すように、その表側に位置する帯状片３ｃに、前記交差部９において、前記植物支持片２７の帯状の片３１の中間部４３を連結することもある。
【００４２】
(2) 一対の帯状結着片６，６の帯状片３，３を固定状態に連結する場合、前記植物支持片２７の帯状の片３１の中間部４３を、図３７〜３８に示すように、帯状片３，３の交差部９に対して回動可能に連結（４４）する場合もある。
【００４３】
(3) 前記帯状片７に設ける第１係合部１３及び前記係合体５に設ける第２係合部１９は、互いに係合することによって帯状片のループ状部分２１の長さを固定できる限り、前記した突部としての第１係合部や突部としての第２係合部には特定されない。第１係合部１３は、突部ではなく凹部６５として構成することもある。
【００４４】
(4) 前記実施例においては、帯状結着片６，６を構成する帯状片３，３の表側の面２２に縄目状突部２３を設けているが、該表側の面２２が平滑に形成されることもある。この場合、該表側の面２２が黒色等の単一色に着色されたり、該表側の面に縄目模様が平面印刷されることもある。
【００４５】
(5) 図３９は、平行状態に隣り合う２本の帯状片３，３の基端に、隣り合う２個の係合孔１５，１５を有する例えばボックス状を呈する係合体５が設けられてなる帯状結着片６，６の一対を、該帯状片３，３を交差状態にして該交差部９で連結してなる結着材１を示すものである。本実施例においては、交差部９が段差のない平面状に形成されている。図４０はその使用状態を示すものであり、２本の隣り合う帯状片３，３の夫々が結着作用を発揮するために結着強度の向上が図られている。このように構成する場合、交差部９を、図３５に示すと同様にして段差のある交差状態にしてもよい。
【００４６】
(6) 前記各実施例においては、第１係合部１３と第２係合部１９との係合状態を解除できないように構成されているが、第１係合部１３と第２係合部１９との係合状態を解除可能に構成することもある。このように構成した場合は、交差する棒材相互を結着する際に、交差する棒材相互の前後の取り付け向きや取り付け高さを誤った場合に、第１係合部１３と第２係合部１９との係合状態を解除することによって結着作業をやり直せる経済性がある。
図４１は、係合解除の構成の一例を示すものであり、係合体５に、レバー６６が設けられた第２係合部１９を、樹脂の一体成形により傾動可能に連結し、前記レバー６６を図４１に矢印で示すように傾動操作することにより、図４２に示すように、第１係合部１３と第２係合部１９との係合を解除できる。
【００４７】
(7) 図４３は、本発明に係る結着材１の他の使用状態を示すものであり、樹木の鳥居状支持体６７を構成する両支柱としての棒材２ｃ，２ｃと、該両支柱の上端側６９，６９を連結する横支持材としての棒材２ｄ相互の交差部分７０，７０を結着材１を用いて結着している。
【図面の簡単な説明】
【００４８】
【図１】本発明に係る結着材を用いて構築した竹垣を示す部分正面図である。
【図２】結着材を用いて縦横の棒材相互を結着した状態を示す正面図である。
【図３】結着材を用いて縦横の棒材相互を結着した状態を示す平面図である。
【図４】結着材を示す正面図である。
【図５】その表側から見た斜視図である。
【図６】その裏側から見た斜視図である。
【図７】結着材の一方の帯状片をＵ字状に屈曲させた状態を示す斜視図である。
【図８】一方の帯状片をその先端側から係合体の係合孔に挿通した状態を示す斜視図である。
【図９】係合体に設けられた第２係合部と帯状片に設けられた第１係合部との係合状態を示す断面図である。
【図１０】縦横の棒材の交差部分を結着材で結着するに際し、結着材の交差部を縦横の棒材の交差部分の表面に当接させた状態を示す正面図である。
【図１１】縦横の棒材の交差部分を結着材で結着した状態を示す正面図である。
【図１２】結着材の他の実施例を示す平面図である。
【図１３】その結着材を用いて縦横の棒材相互を結着した状態を示す正面図である。
【図１４】植物支持片を具える結着材を示す正面図である。
【図１５】その表側から見た斜視図である。
【図１６】その裏側から見た斜視図である。
【図１７】その結着材を用いて縦横の棒材相互を結着すると共に、植物支持片によって植物の茎を支持した状態を示す正面図である。
【図１８】その支持部分を拡大して示す正面図である。
【図１９】その結着材を構成する両帯状片を用いて縦横の棒材相互を結着した状態を示す正面図である。
【図２０】植物支持片を構成する帯状の片に設けた第１係止部と、該帯状の片に設けられた係止体の第２係止部との係合状態を示す断面図である。
【図２１】植物支持片を具える結着材のその他の実施例を示す正面図である。
【図２２】帯状片を互いに回動可能に連結した結着材を示す正面図である。
【図２３】その斜視図である。
【図２４】両帯状片相互を互いに回動可能に連結する構成を説明する分解斜視図である。
【図２５】帯状片を互いに回動可能に集結した状態を示す断面図である。
【図２６】その使用状態を示す正面図である。
【図２７】帯状結着片を略直線状に揃えた状態を示す正面図である。
【図２８】両帯状片を互いに回動可能に連結する他の構成を説明する分解斜視図である。
【図２９】両帯状片を互いに回動可能に連結した状態を示す断面図である。
【図３０】帯状片相互を変形容易な軟質部で連結した状態を示す断面図である。
【図３１】両帯状片を互いに回動可能に連結すると共に、その交差部に対して植物支持片を回動可能に連結した結着材を示す正面図である。
【図３２】その斜視図である。
【図３３】両帯状片と植物支持片の帯状の片の連結状態を示す断面図である。
【図３４】両帯状片と帯状の片の他の連結状態を示す断面図である。
【図３５】帯状片を段差のある交差状態にして連結した結着材を示す斜視図である。
【図３６】両帯状片の交差部に、植物支持片の帯状の片の中間部を連結した状態を示す斜視図である。
【図３７】帯状片相互を固定状態に連結すると共に、植物支持片の帯状の片の中間部を両帯状片の交差部に対して回動可能に連結してなる結着材を示す斜視図である。
【図３８】両帯状片を固定状態に連結すると共に、植物支持片の帯状の片の中間部をその交差部に対して回動可能に連結した結着材を示す断面図である。
【図３９】平行状態で隣り合う２本の帯状片の基端に、２個の係合孔を有する係合体を設けてなる帯状結着片の一対を、両帯状片の交差部で連結してなる結着材を示す斜視図である。
【図４０】その結着材の使用状態を示す正面図である。
【図４１】第１係合部と第２係合部との係合状態をレバー操作により解除可能となされた結着材を示す部分断面図である。
【図４２】その係合状態を解除した状態を示す断面図である。
【図４３】本発明に係る結着材のその他の使用状態を示す斜視図である。
【図４４】縦横の棒材相互をしゅろ縄で結着した状態を示す正面図である。
【図４５】人工竹垣構築用の従来の結び縄材の構成を説明する断面図である。
【図４６】その結び縄材の使用状態を示す正面図である。
【符号の説明】
【００４９】
１  結着材
２  棒材
３  帯状片
５  係合体
６  帯状結着片
９  交差部
１３  第１係合部
１５  係合孔
１９  第２係合部
２３  縄目状突部
２５  棒材の交差部分
３０  植物の茎
３１  帯状の片
３２  係止体
３６  係止孔
４０  第２係止部
５１  連結突部
５３  抜け止め部
５５  軸孔
５６  軸孔
５７  連結軸
５９  抜け止め部
６０  軟質部
６１  軸孔
６２  抜け止め部
６３  抜け止め部
【図１】
2005282177.tif 000003
【図２】
2005282177.tif 000004
【図３】
2005282177.tif 000005
【図４】
2005282177.tif 000006
【図５】
2005282177.tif 000007
【図６】
2005282177.tif 000008
【図７】
2005282177.tif 000009
【図８】
2005282177.tif 000010
【図９】
2005282177.tif 000011
【図１０】
2005282177.tif 000012
【図１１】
2005282177.tif 000013
【図１２】
2005282177.tif 000014
【図１３】
2005282177.tif 000015
【図１４】
2005282177.tif 000016
【図１５】
2005282177.tif 000017
【図１６】
2005282177.tif 000018
【図１７】
2005282177.tif 000019
【図１８】
2005282177.tif 000020
【図１９】
2005282177.tif 000021
【図２０】
2005282177.tif 000022
【図２１】
2005282177.tif 000023
【図２２】
2005282177.tif 000024
【図２３】
2005282177.tif 000025
【図２４】
2005282177.tif 000026
【図２５】
2005282177.tif 000027
【図２６】
2005282177.tif 000028
【図２７】
2005282177.tif 000029
【図２８】
2005282177.tif 000030
【図２９】
2005282177.tif 000031
【図３０】
2005282177.tif 000032
【図３１】
2005282177.tif 000033
【図３２】
2005282177.tif 000034
【図３３】
2005282177.tif 000035
【図３４】
2005282177.tif 000036
【図３５】
2005282177.tif 000037
【図３６】
2005282177.tif 000038
【図３７】
2005282177.tif 000039
【図３８】
2005282177.tif 000040
【図３９】
2005282177.tif 000041
【図４０】
2005282177.tif 000042
【図４１】
2005282177.tif 000043
【図４２】
2005282177.tif 000044
【図４３】
2005282177.tif 000045
【図４４】
2005282177.tif 000046
【図４５】
2005282177.tif 000047
【図４６】
2005282177.tif 000048